【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】
【請求項１】  通信システムであって、
ｉ）複数の信号送受信ユニットからなるネットワークと、
ｉｉ）前記ネットワークにおけるモバイル遠隔ユニットのロケーションの情報を確立するために、少なくとも１つの前記信号送受信ユニットと通信できるモバイル遠隔ユニットと、
ｉｉｉ）前記ネットワークと連携する複数の信号送受信ユニットからなるグループを備え、
前記複数の信号送受信ユニットからなるグループの一部は、ある時間の間、前記ネットワークにおいて前記モバイル遠隔ユニットのロケーションにアクセスできるように予め許可されており、
ｉｖ）前記通信システムは、前記ある時間の間、予め許可された前記信号送受信ユニットからなるグループから選択された１つのネットワークリソースに前記モバイル遠隔ユニットのロケーションの情報を提供することを承認または拒否することができ、
ｖ）前記通信システムは、特定の選択された予め許可された信号送受信ユニットのために、前記予め許可された複数の信号送受信ユニットからなるグループからやはり選択された他のネットワークリソースに対して前記ロケーションの提供を拒否している間、前記モバイル遠隔ユニットの前記ロケーションを追跡し続ける通信システム。
【請求項２】  前記複数の信号送受信ユニットからなる前記ネットワークが、地上制御ステーションと、地上信号送受信ステーションの少なくとも１つと、複数の衛星信号送受信ステーションとを含む請求項１に記載の通信システム。
【請求項３】  前記遠隔受信ユニットは、前記複数の信号送受信ユニットからなる前記ネットワークにロケーション従属情報を提供する手段を有している請求項１に記載の通信システム。
【請求項４】  位置決め送信機から受信した信号から、地球上の位置を決定する手段と複数の衛星信号を衛星受信部に接続し、複数の地上信号を地上受信部に接続する接続手段と、
複数の衛星位置決め及びメッセージ信号を受信し且つ処理する衛星受信手段と、
複数の地上位置決め及びメッセージ信号を受信し且つ処理する地上受信手段とを備える請求項１に記載の遠隔ユニット。
【請求項５】  前記衛星受信回路または地上受信回路からのいずれかのデータを他方が処理されている間保持する記憶手段を更に備えている請求項４に記載の遠隔ユニット。
【請求項６】  （ｉ）第一のネットワークノードまたは地理上のエリアに位置するモバイル遠隔受信ユニットと、
（ｉｉ）複数の通信リソースからなるネットワークと、
（ｉｖ）第二のネットワークノードに位置する制御ユニットとから構成される通信システムであって、
（ｉｉｉ）特定の時刻において前記モバイル遠隔ユニットのロケーションを取得できるように前記複数の通信リソースの一部は予め許可され、前記モバイル遠隔ユニットの前記ロケーションは前記通信システム内において追跡され、
（ｉｖ）前記制御ユニットは、前記モバイル遠隔ユニットの前記ロケーション情報を求める予め許可された要求を有効にすることができ、また前記ネットワークにおいて前記モバイル遠隔ユニットのロケーション開示命令を照会することができ、
（ｖ）前記制御ユニットは、前記モバイル遠隔ユニットに対する前記ロケーション開示命令を使って、ステップ（ｉｉｉ）の特定の複数のネットワークリソースにモバイル遠隔ユニットロケーション情報を提供することを許可し、一方では前記特定の時刻において他のネットワークリソース（ｉｉｉ）にそのような情報が漏れることを阻止することができる通信システム。
【請求項７】  前記複数の信号送受信ユニットは複数の衛星ユニットと複数の地上ユニットとを含んでいる請求項６に記載の通信システム。
【請求項８】  前記遠隔受信ユニットとの通信の不存在を検出する手段を備えている請求項６に記載の通信システム。
【請求項９】  位置決め情報を伝送するための少なくとも１つの位置決め送信機を更に備え、前記遠隔受信ユニットは伝送された位置決め情報から前記遠隔受信ユニットの位置を確立することができ、且つ確立した遠隔受信ユニットロケーション情報を前記複数の信号送受信ユニットからなるネットワークに選択的に提供する請求項６に記載の通信システム。
【請求項１０】  前記遠隔受信ユニットは、少なくとも１つの位置決め送信機と通信可能であり、地球上の位置を前記ネットワークに開示するために前記複数の信号送受信ユニットからなるネットワークと双方向の通信が可能である請求項９に記載の通信システム。
【請求項１１】  ネットワーク内で開示可能な、モバイル遠隔受信ユニットのロケーション情報の開示を許可または阻止する方法であって、
ｉ）前記モバイル遠隔受信ユニットの前記ロケーション情報を求める要求を前記ネットワークにおいて受信し、
ｉｉ）要求ソースを明らかにし、
ｉｉｉ）前記要求ソースが前記ネットワークにおいて前記モバイル遠隔ユニットのロケーション情報にアクセスすることを予め許可されていることを確認し、
ｉｖ）前記ネットワークにおいて、前記モバイル遠隔受信ユニットについての情報開示命令を照会し、
ｖ）前記命令を使って、前記予め許可された要求ソースに対して、モバイル遠隔ユニットロケーション情報の開示を許可また阻止する方法。
【請求項１２】  前記ネットワークにおいて前記モバイル遠隔ユニットについての情報開示命令を照会する前記ステップが、前記要求ソースの識別を前記モバイル遠隔受信ユニットに送信し、前記モバイル遠隔受信ユニットから情報開示命令を取得することを更に含む請求項１１に記載の方法。
【請求項１３】  さらに前記モバイル遠隔受信ユニットに対する前記モバイル遠隔受信ユニットについての位置情報を提供し、
前記ネットワークに前記モバイル遠隔受信ユニットからの前記位置情報を伝送する請求項１１に記載の方法。
【請求項１４】  ロケーション情報の送信が成功するまで前記遠隔受信ユニットからの知覚信号を繰り返し送信する請求項１３に記載の方法。
【請求項１５】  前記遠隔受信ユニットについてのロケーション情報を前記遠隔受信ユニットに提供し、
前記ロケーション情報を前記遠隔受信ユニット内に記憶されている予め選択したアクティブエリアと比較し、
比較が否定的であれば、前記遠隔受信ユニットにおいて知覚信号を発生し、
前記遠隔受信ユニットの前記ロケーション情報で前記ネットワークを更新する請求項１１に記載の方法。
【請求項１６】  前記遠隔受信ユニット内に記憶されている予め選択したアクティブエリアに、ロケーション情報に対応するアクティブエリアを追加する請求項１５に記載の方法。
【請求項１７】  複数の通信リソースのうち一部がモバイル遠隔ユニットのロケーションにアクセスすることが予め許可されている前記複数の通信リソースからなるネットワークに対し、前記モバイル遠隔ユニットの前記ロケーション情報へのアクセスを制限する方法であって、
（ｉ）前記遠隔ユニットの識別情報を取得し、
（ｉｉ）前記複数の予め許可された通信リソースからなるネットワークから、１つの予め許可された通信リソースを選択し、
（ｉｉｉ）前記モバイル遠隔ユニットについてのロケーション開示情報を手段として使って、ステップ（ｉｉ）の前記複数の予め許可された通信リソースに対し、前記ネットワークにおいて前記遠隔ユニットの前記ロケーション情報にアクセスすることを許可または禁止するかどうかを指定し、
（ｉｖ）前記ネットワークにおいて前記ロケーション開示情報を開示し,
（ｖ）前記ネットワークにおいて前記開示したロケーション開示情報を使って、ステップ（ｉｉ）の前記１つの予め許可された通信リソースに対して、前記遠隔ユニットの前記ロケーション情報へのアクセスを制限する方法。
【請求項１８】  前記遠隔ユニットの前記ロケーション情報へのアクセスを制限することを目的として、前記ロケーション開示情報を開示するステップが、前記指定されたロケーション開示情報を前記ネットワークにおける第二の通信ノードに転送することを更に含む請求項１７に記載の方法。
【請求項１９】  （ｉ）モバイル遠隔ユニットと、
（ｉｉ）ネットワークにおいて前記モバイル遠隔ユニットに対して予め許可されたサービスを提供することができる、前記モバイル遠隔ユニットが存在するネットワークノードとは異なるネットワークノードに存在する少なくとも第一のネットワーク通信リソースと、
（ｉｉｉ）前記ネットワークにおいて前記サービスにアクセスできるように予め許可された少なくとも第二のネットワーク通信リソースと、
（ｉｖ）ある時間の間、前記予め許可されたサービスを（ｉｉｉ）から選択した１つのネットワーク通信リソースからは禁止することができる時間を示す情報を、前記少なくとも第一のネットワーク通信リソースに提供することができる少なくとも第三のネットワーク通信リソースとから構成されるモバイル通信システムであって、
（ｖ）前記少なくとも第一のネットワーク通信リソースは、前記少なくとも第二のネットワーク通信リソースにより提供される前記情報を使って、ある時間の間、前記予め許可されたサービスを（ｉｉｉ）から選択した前記ネットワーク通信リソースに提供することを禁止することができ、
（ｖｉ）前記少なくとも第一のネットワーク通信リソースは、前記予め許可されたサービスへのアクセスが（ｉｉｉ）から選択した１つの予め許可されたネットワーク通信リソースに対し禁止されている間、（ｉｉｉ）の他の予め許可されたネットワーク通信リソースに前記予め許可されたサービスを提供し続けるモバイル通信システム。
【請求項２０】  前記モバイル遠隔ユニットはモバイル遠隔ユニットのロケーションの情報を前記ネットワークに提供することができ、前記少なくとも第一のネットワーク通信リソースは前記モバイル遠隔ユニットのロケーションの情報を使って、予め許可されたサービスを前記モバイル遠隔ユニットに提供することができる請求項１９に記載のモバイル通信システム。
【請求項２１】  前記少なくとも第二のネットワーク通信リソースが前記モバイル遠隔ユニット内で操作可能である請求項１９に記載のモバイル通信システム。
【請求項２２】  モバイル遠隔ユニットに提供するための、ロケーションに基づく予め許可されたサービスへのアクセスを制限する通信システムであって、前記モバイル遠隔ユニットは前記通信システムが使用する自身のロケーションを確立し、
ｉ）一部が前記モバイル遠隔ユニットと通信できる複数の通信リソースからなるネットワークと、
ｉｉ）前記ネットワークにおいて前記ロケーションに基づくサービスにアクセスできるように予め許可された少なくとも第一の通信ネットワークリソースと、
ｉｉｉ）（ｉｉ）に従って予め許可されたネットワーク通信リソースが、ある時間の間、前記ロケーションに基づくサービスにアクセスできないように禁止し、一方では（ｉｉ）の他の複数のネットワーク通信リソースが前記ロケーションに基づくサービスにアクセスできるように許可することができる少なくとも第二のネットワーク通信リソースとから構成される通信システム。
【請求項２３】  前記ロケーションに基づくサービスが、前記ネットワークにおいてモバイル遠隔ユニットのロケーションの情報を取得することと、この情報を前記少なくとも第一のネットワーク通信リソースに提供することを更に含み、前記少なくとも第二のネットワーク通信リソースは前記モバイル遠隔ユニット内で操作可能である請求項２２に記載の通信システム。
【請求項２４】  複数の通信リソースからなるネットワークと、
前記ネットワークにおいて自身のロケーション情報を確立できる第一の通信リソースとから構成される通信システムであって、
少なくとも１つのプロファイルが前記通信システムによって維持され、前記プロファイルは、１つの予め許可されたリソースのアイデンティティと、前記第一の通信リソースのアイデンティティと、前記プロファイルにおいて識別される前記予め許可されたリソースに対し、前記プロファイルにおいて識別される前記第一の通信リソースの前記ロケーション情報へのアクセスを許可または禁止するかどうかを示すロケーションアクセスフィールドとを含んでおり、
前記通信システムは、第一のプロファイルの前記ロケーションアクセスフィールドを使って、前記第一のプロファイルにおいて識別される前記予め許可されたリソースに対し、  前記第一の通信リソースの前記ロケーション情報へのアクセスを禁止し、一方では、前記第一のプロファイルにおいて識別される前記予め許可されたリソースに対しアクセスを禁止している間、第二のプロファイルにおいて識別される別の予め許可されたリソースに対し、前記第一の通信リソースの前記ロケーション情報へのアクセスを許可する通信システム。
【請求項２５】  前記モバイル遠隔ユニットについての第一のロケーション開示命令または情報を使って、第一の予め許可された通信リソースに対し、前記モバイル遠隔ユニットの前記情報へのアクセスを許可し、前記モバイル遠隔ユニットについての第二のロケーション開示命令または情報を使って、前記予め許可された第一の通信リソースに対し前記ネットワークにおいてアクセス可能な前記モバイル遠隔ユニットの前記情報へのアクセスが許可されている間、第二の予め許可された通信リソースに対し、モバイル遠隔ユニット情報へのアクセスを禁止する請求項１１及び１７に記載の方法。
【請求項２６】  通信ネットワーク内において呼出機または呼出受信機のロケーション情報へのアクセスを選択的に制限する通信システムであって、
（ｉ）前記ネットワークと繰り返し通信して、ある時間の間、前記通信システム内で自身のロケーションを確立することができる呼出機または呼出受信機と、
（ｉｉ）前記ある時間の間、前記通信システム内において呼出機または呼出受信機の前記ロケーションを受信できるように許可するコードをその一部が有する、前記通信システムにアクセスする複数の発呼機と、
（ｉｉｉ）前記ある時間の間、許可された１つのまたは複数呼出送信機に対し、前記呼出機または呼出受信機の前記ロケーション情報へのアクセスを許可または禁止するために用いる、呼出機または呼出受信機についてのロケーション開示機能を有効または無効にする手段とから構成される通信システムで、
（ｉｖ）前記通信システムは、前記呼出機または呼出受信機の前記ロケーション開示機能を使って、許可された呼出送信機（ｉｉｉ）に対し前記呼出機または呼出受信機の前記ロケーション情報へのアクセスを許可し、一方では、前記ロケーション開示機能を使って、前記通信システム内において前記呼出機または呼出受信機の前記ロケーションが繰り返し確立されている間、別の許可された呼出送信機（ｉｉｉ）に対してはアクセスを禁止する通信システム。
【請求項２７】  前記許可された呼出送信機に対し前記ロケーションへのアクセスを禁止しているとき、前記呼出機の前記ロケーションを追跡する請求項２６に記載の通信システム。
【請求項２８】  通信システムにおいて、呼出機または呼出受信機のロケーション情報へのアクセスを制限する方法であって、
（ｉ）前記通信システム内である時間の間呼出機の前記ロケーションを確立するために、ネットワークと繰り返し通信し、
（ｉｉ）前記ある時間の間前記通信システム内で前記呼出機の前記ロケーションを受信できるように複数の個々の呼出送信機を許可するコードを確立し、
（ｉｉｉ）前記ある時間の間、前記複数の個々の呼出送信機のうち許可された１つまたは複数の呼出送信機に対し、前記呼出機の前記ロケーション情報へのアクセスを許可または禁止するために用いる、前記呼出機についてのロケーション開示機能を前記通信システムに対し指定し、
（ｉｖ）前記呼出機の前記ロケーション開示機能を使って、許可された呼出送信機（ｉｉｉ）に対し、前記呼出機の前記ロケーション情報へのアクセスを許可または禁止し、一方では、前記ロケーション開示機能を使って、前記通信システム内において前記呼出機の前記ロケーションが繰り返し確立されている前記ある時間の間、別の許可された呼出送信機（ｉｉｉ）に対してはアクセスを禁止できる方法。
【請求項２９】  前記呼出機についてのロケーション開示情報を手段として使って指定するステップが、前記呼出機と通信して前記呼出機から情報開示命令を取得することをさらに含む請求項２８に記載の方法。